【手続補正書】
【提出日】令和1年5月16日(2019.5.16)
【手続補正１】
【補正対象書類名】特許請求の範囲
【補正対象項目名】全文
【補正方法】変更
【補正の内容】
【特許請求の範囲】
【請求項１】
第１端末のユーザのデータを記憶するサーバの情報処理方法であって、
前記第１端末の識別情報と前記ユーザのデータとを関連付ける処理を前記サーバの制御部によって行うことと、
前記第１端末とは異なる第２端末によって前記第１端末から取得された、前記ユーザのデータに関連付けられたトークンコード、または前記第２端末によって前記第１端末から取得された前記第１端末の識別情報と、前記第２端末によって前記第１端末から取得され、前記第１端末によって入力された第１情報と、前記第２端末によって入力された第２情報と、前記第２端末の識別情報とを前記サーバの通信部によって前記第２端末から受信することと、
前記第１情報と前記第２情報とに基づいて、前記ユーザのデータと前記第１端末の識別情報との関連付けを解除する処理と、前記ユーザのデータと前記第２端末の識別情報とを関連付ける処理とを前記制御部によって行うこととを含む。
【請求項２】
請求項１に記載の情報処理方法であって、
前記トークンコードまたは前記第１端末の識別情報と、前記第１情報とは、前記第１端末に表示された、前記トークンコードまたは前記第１端末の識別情報と、前記第１情報とに基づくコード情報を前記第２端末によって読み取ることによって、前記第２端末に取得される。
【請求項３】
請求項２に記載の情報処理方法であって、
前記第１端末は、前記コード情報の表示に基づいて、前記サーバから取得したデータの少なくとも一部を消去する。
【請求項４】
請求項１から請求項３のいずれか一項に記載の情報処理方法であって、
前記トークンコードまたは前記第１端末の識別情報と、前記第１情報とは、前記第１端末によって暗号化される。
【請求項５】
請求項４に記載の情報処理方法であって、
前記トークンコードまたは前記第１端末の識別情報と、前記第１情報とは、前記サーバから送付された暗号に基づいて、暗号化され、
前記通信部によって受信された、前記トークンコードまたは前記第１端末の識別情報と、前記第１情報とを、前記サーバに記憶された複合鍵に基づいて復号する処理を前記制御部によって行うこととを含む。
【請求項６】
請求項１から請求項５のいずれか一項に記載の情報処理方法であって、
前記ユーザのデータと前記第１端末の識別情報との関連付けを解除する処理と、前記ユーザのデータと前記第２端末の識別情報とを関連付ける処理は、前記第１情報と前記第２情報との一致に基づいて前記制御部によって行われる。
【請求項７】
請求項６に記載の情報処理方法であって、
前記第１情報は、前記第１端末によって入力された第１パスコードであり、
前記第２情報は、前記第２端末によって入力された第２パスコードである。
【請求項８】
請求項１から請求項７のいずれか一項に記載の情報処理方法であって、
前記第１情報と前記第２情報とに基づく、前記ユーザのデータと前記第１端末の識別情報との関連付けを解除する処理と、前記ユーザのデータと前記第２端末の識別情報とを関連付ける処理とが実行されることを示す情報を前記第２端末に前記通信部によって送信することを含む。
【請求項９】
第１端末のユーザのデータを記憶するサーバのコンピュータによって実行されるプログラムであって、
前記第１端末の識別情報と前記ユーザのデータとを関連付ける処理を前記サーバの制御部によって行うことと、
前記第１端末とは異なる第２端末によって前記第１端末から取得された、前記ユーザのデータに関連付けられたトークンコード、または前記第２端末によって前記第１端末から取得された前記第１端末の識別情報と、前記第２端末によって前記第１端末から取得され、前記第１端末によって入力された第１情報と、前記第２端末によって入力された第２情報と、前記第２端末の識別情報とを前記サーバの通信部によって前記第２端末から受信することと、
前記第１情報と前記第２情報とに基づいて、前記ユーザのデータと前記第１端末の識別情報との関連付けを解除する処理と、前記ユーザのデータと前記第２端末の識別情報とを関連付ける処理とを前記制御部によって行うこととを含む。
【請求項１０】
第１端末のユーザのデータを記憶するサーバであって、
前記第１端末の識別情報と前記ユーザのデータとを関連付ける処理を行う制御部と、
前記第１端末とは異なる第２端末によって前記第１端末から取得された、前記ユーザのデータに関連付けられたトークンコードまたは前記第２端末によって前記第１端末から取得された前記第１端末の識別情報と、前記第２端末によって前記第１端末から取得され、前記第１端末によって入力された第１情報と、前記第２端末によって入力された第２情報と、前記第２端末の識別情報とを前記第２端末から受信する通信部とを備え、
前記制御部は、前記第１情報と前記第２情報とに基づいて、前記ユーザのデータと前記第１端末の識別情報との関連付けを解除する処理と、前記ユーザのデータと前記第２端末の識別情報とを関連付ける処理とを行う。
【手続補正２】
【補正対象書類名】明細書
【補正対象項目名】０００９
【補正方法】変更
【補正の内容】
【０００９】
本発明の一態様に係るサーバの情報処理方法は、第１端末のユーザのデータを記憶するサーバの情報処理方法であって、第１端末の識別情報とユーザのデータとを関連付ける処理をサーバの制御部によって行うことと、第１端末とは異なる第２端末によって第１端末から取得された、ユーザのデータに関連付けられたトークンコード、または第２端末によって第１端末から取得された第１端末の識別情報と、第２端末によって第１端末から取得され、第１端末によって入力された第１情報と、第２端末によって入力された第２情報と、第２端末の識別情報とをサーバの通信部によって第２端末から受信することと、第１情報と第２情報とに基づいて、ユーザのデータと第１端末の識別情報との関連付けを解除する処理と、ユーザのデータと第２端末の識別情報とを関連付ける処理とを制御部によって行うこととを含む。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
本発明の一態様に係るプログラムは、第１端末のユーザのデータを記憶するサーバのコンピュータによって実行されるプログラムであって、第１端末の識別情報とユーザのデータとを関連付ける処理をサーバの制御部によって行うことと、第１端末とは異なる第２端末によって第１端末から取得された、ユーザのデータに関連付けられたトークンコード、または第２端末によって第１端末から取得された第１端末の識別情報と、第２端末によって第１端末から取得され、第１端末によって入力された第１情報と、第２端末によって入力された第２情報と、第２端末の識別情報とをサーバの通信部によって第２端末から受信することと、第１情報と第２情報とに基づいて、ユーザのデータと第１端末の識別情報との関連付けを解除する処理と、ユーザのデータと第２端末の識別情報とを関連付ける処理とを制御部によって行うこととを含む。
【手続補正５】
【補正対象書類名】明細書
【補正対象項目名】００１２
【補正方法】変更
【補正の内容】
【００１２】
本発明の一態様に係るサーバは、第１端末のユーザのデータを記憶するサーバであって、第１端末の識別情報とユーザのデータとを関連付ける処理を行う制御部と、第１端末とは異なる第２端末によって第１端末から取得された、ユーザのデータに関連付けられたトークンコードまたは第２端末によって第１端末から取得された第１端末の識別情報と、第２端末によって第１端末から取得され、第１端末によって入力された第１情報と、第２端末によって入力された第２情報と、第２端末の識別情報とを第２端末から受信する通信部とを備え、制御部は、第１情報と第２情報とに基づいて、ユーザのデータと第１端末の識別情報との関連付けを解除する処理と、ユーザのデータと第２端末の識別情報とを関連付ける処理とを行う。